【手続補正書】
【提出日】平成20年9月10日(2008.9.10)
【手続補正１】
【補正対象書類名】明細書
【補正対象項目名】特許請求の範囲
【補正方法】変更
【補正の内容】
【特許請求の範囲】
【請求項１】光情報記録媒体の記録および／または再生用の対物レンズであって、
光源側から順に、負屈折力を有する第１レンズ群、正屈折力を有する第２レンズ群、および正屈折力を有する第３レンズ群が配置された３群構成を有し、光情報記録媒体側の開口数ＮＡの値が次式を満たすことを特徴とする対物レンズ。
０．６０＜ＮＡ＜０．９９
【請求項２】前記対物レンズは次式を満たすことを特徴とする請求項１に記載の対物レンズ。
０．０２＜(Ｘ１'＋Ｘ２'＋Ｘ３')／(ＮＡ4・ｆ・(１＋｜ｍ｜))＜０．１２
Ｘ１'＝Ｘ１・(ｎ１−１)3／ｆ１
Ｘ２'＝Ｘ２・(ｎ２−１)3／ｆ２
Ｘ３'＝Ｘ３・(ｎ３−１)3／ｆ３
ただし、
Ｘｉ：光軸に垂直で前記第ｉレンズ群の最も光源側の面の頂点に接する平面と、有効径最周辺（上記ＮＡのマージナル光線が入射する前記第ｉレンズ群の最も光源側の面上の位置）における前記第ｉレンズ群の最も光源側の面との光軸方向の差（ｍｍ）で、上記接平面を基準として光情報記録媒体の方向に測る場合を正、光源の方向に測る場合を負とする（ｉ＝１、２、３）。
ｎｉ：前記第ｉレンズ群の光源の波長における屈折率（ｉ＝１、２、３）
ｆｉ：前記第ｉレンズ群の焦点距離（ｍｍ）（ｉ＝１、２、３）
ｆ：前記対物レンズの無限遠物体での焦点距離（ｍｍ）
ｍ：前記対物レンズの結像倍率
【請求項３】前記第１レンズ群の最も光源側の面の近軸曲率半径ｒ１（ｍｍ）、前記第２レンズ群の最も光源側の面の近軸曲率半径ｒ２（ｍｍ）、および前記第３レンズ群の最も光源側の面の近軸曲率半径ｒ３（ｍｍ）の値がそれぞれ次式を満たすことを特徴とする請求項１または２に記載の対物レンズ。
−１．００＜ｒ１／((ｎ１−１)・ｆ１)＜０．００
０．３０＜ｒ２／((ｎ２−１)・ｆ２)＜１．７０
０．５０＜ｒ３／((ｎ３−１)・ｆ３)＜１．５０
【請求項４】前記第１レンズ群の近軸パワーＰ１（ｍｍ-1）、前記第２レンズ群の近軸パワーＰ２（ｍｍ-1）、前記第３レンズ群の近軸パワーＰ３（ｍｍ-1）、および前記対物レンズの近軸パワーＰ（ｍｍ-1）の値がそれぞれ次式を満たすことを特徴とする請求項１乃至３のいずれか１項に記載の対物レンズ。
−０．５＜Ｐ１／Ｐ＜０．０
０．３＜Ｐ２／Ｐ＜１．２
０．６＜Ｐ３／Ｐ＜１．４
【請求項５】前記第１レンズ群の光軸上の厚さｄ１（ｍｍ）が次式を満たすことを特徴とする請求項１乃至４のいずれか１項に記載の対物レンズ。
０．８＜ｄ１／ｆ＜１．７
【請求項６】前記対物レンズは光情報記録媒体側の開口数ＮＡの値が次式を満たすことを特徴とする請求項１乃至５のいずれか１項に記載の対物レンズ。
０．８５＜ＮＡ＜０．９９
【請求項７】前記対物レンズは、前記第１レンズ群の最も光源側の面、前記第２レンズ群の最も光源側の面、および前記第３レンズ群の最も光源側の面のうち少なくとも２つの面が非球面とされたことを特徴とする請求項１乃至６のいずれか１項に記載の対物レンズ。
【請求項８】前記対物レンズは、光情報記録媒体の情報記録面を保護している保護層の厚さに対応した球面収差補正がなされ、前記保護層の厚さｔ（ｍｍ）の値が次式を満たすことを特徴とする請求項１乃至７のいずれか１項に記載の対物レンズ。
０．０≦ｔ≦０．１５
【請求項９】前記対物レンズは、波長λの光源を有する光ピックアップ装置用の対物レンズであって、前記波長λの値が次式を満たすことを特徴とする請求項１乃至８のいずれか１項に記載の対物レンズ。
３５０ｎｍ＜λ＜６５０ｎｍ
【請求項１０】前記対物レンズは、少なくとも１つの面が輪帯状の回折構造を有する回折面とされたことを特徴とする請求項１乃至９のいずれか１項に記載の対物レンズ。
【請求項１１】前記対物レンズは、光学プラスチック材料から形成されたことを特徴とする請求項１乃至１０のいずれか１項に記載の対物レンズ。
【請求項１２】光情報記録媒体の記録および／または再生用の対物レンズであって、
光源側から順に、第１レンズ群、第２レンズ群、および第３レンズ群が配置された３群構成を有し、前記第３レンズ群の最も光源側の面が非球面とされ、光情報記録媒体側の開口数ＮＡの値が次式を満たし、
０．６０＜ＮＡ＜０．９９
前記第１レンズ群は負屈折力を有し、前記第２レンズ群は正屈折力を有し、前記第３レンズ群は正屈折力を有し、前記第１レンズ群のｄ線のアッベ数νｄ１、および前記第２レンズ群のｄ線のアッベ数νｄ２の値が次式を満たすことを特徴とする対物レンズ。
νｄ１＜νｄ２
【請求項１３】前記対物レンズは次式を満たすことを特徴とする請求項１２に記載の対物レンズ。
νｄ１＜４０
νｄ２＞５５
【請求項１４】前記第１レンズ群と前記第２レンズ群はともに１枚のレンズから構成され、前記第１レンズ群と前記第２レンズ群は接合されていることを特徴とする請求項１２または１３に記載の対物レンズ。
【請求項１５】前記対物レンズは光情報記録媒体側の開口数ＮＡの値が次式を満たすことを特徴とする請求項１２乃至１４のいずれか１項に記載の対物レンズ。
０．７５＜ＮＡ＜０．９９
【請求項１６】前記対物レンズは、前記第２レンズ群と前記第３レンズ群との光軸上の距離ｄ23(ｍｍ)と、最も光源側のレンズ面の面頂点から最も光情報記録媒体側のレンズ面の面頂点までの光軸上の距離Σｄ(ｍｍ)の値が次式を満たすことを特徴とする請求項１２乃至１５のいずれか１項に記載の対物レンズ。
０．０５＜ｄ23／Σｄ＜０．３５
【請求項１７】前記対物レンズは次式を満たすことを特徴とする請求項１６に記載の対物レンズ。
０．１０＜ｄ23／Σｄ＜０．３０
【請求項１８】前記対物レンズは、波長λの光源を有する光ピックアップ装置用の対物レンズであって、前記波長λの値が次式を満たすことを特徴とする請求項１２乃至１７のいずれか１項に記載の対物レンズ。
３５０ｎｍ＜λ＜６５０ｎｍ
【請求項１９】 光情報記録媒体の記録および／または再生用の対物レンズであって、
光源側から順に、負の屈折力を有する第１レンズ、前記第１レンズに隣接して設けられ正の屈折力を有する第２レンズ、および正の屈折力を有する第３レンズが配置された３枚構成を有し、前記第１レンズの光源側の光学面、および前記第３レンズの光源側の光学面がともに非球面とされたことを特徴とする対物レンズ。
【請求項２０】前記第１レンズのｄ線のアッベ数νｄ１、および前記第２レンズのｄ線のアッベ数νｄ２の値が次式を満たすことを特徴とする請求項１９に記載の対物レンズ。
νｄ１＜４０
νｄ２＞５５
【請求項２１】前記第１レンズと前記第２レンズは接合されていることを特徴とする請求項１９または２０に記載の対物レンズ。
【請求項２２】前記対物レンズの光情報記録媒体側の開口数ＮＡの値が次式を満たすことを特徴とする請求項１９乃至２１のいずれか１項に記載の対物レンズ。
０．７５＜ＮＡ＜０．９９
【請求項２３】前記第２レンズの中心厚さｄｃ（ｍｍ）、および有効径最周辺から０．２ｍｍの高さにおける前記第２レンズの光軸方向の厚さｄｈ（ｍｍ）の値が次式を満たすことを特徴とする請求項１９乃至２２のいずれか１項に記載の対物レンズ。
０．１＜ｄｈ／ｄｃ＜０．８
【請求項２４】前記対物レンズは、波長λの光源を有する光ピックアップ装置用の対物レンズであって、
前記波長λの値が次式を満たすことを特徴とする請求項１９乃至２３のいずれか１項に記載の対物レンズ。
３５０ｎｍ＜λ＜６５０ｎｍ
【請求項２５】  前記第２レンズと前記第３レンズとの光軸上の距離ｄ23（ｍｍ）、前記対物レンズの最も光源側の光学面の面頂点から最も光情報記録媒体側の光学面の面頂点までの光軸上の距離Σｄ（ｍｍ）、前記第３レンズの焦点距離ｆ３（ｍｍ）、前記対物レンズ全系の焦点距離ｆ（ｍｍ）、前記第２レンズの光源側の光学面の近軸曲率半径ｒ３（ｍｍ）、および前記第２レンズの光情報記録媒体側の光学面の近軸曲率半径ｒ４（ｍｍ）の値が次式を満たすことを特徴とする請求項１９乃至２４のいずれか１項に記載の対物レンズ。
０．１５＜ｄ23／Σｄ＜０．４０
０．５＜ｆ３／ｆ＜１．２
０．１＜（ｒ４＋ｒ３）／（ｒ４−ｒ３）＜１．２
【請求項２６】光源と、前記光源から出射された光束を光情報記録媒体の情報記録面上に集光させるための対物レンズを含む集光光学系と、を備え、前記情報記録面からの反射光を検出することで前記光情報記録媒体に対する情報の記録および／または再生を行う光ピックアップ装置であって、
前記対物レンズとして請求項１乃至２５のいずれか１項に記載の対物レンズを有することを特徴とする光ピックアップ装置。
【請求項２７】請求項２６に記載の光ピックアップ装置を搭載したことを特徴とする音声および／または画像の記録装置、および／または、音声および／または画像の再生装置。
【手続補正２】
【補正対象書類名】明細書
【補正対象項目名】００１２
【補正方法】変更
【補正の内容】
【００１２】
また、第２の対物レンズは、光情報記録媒体の記録および／または再生用の対物レンズであって、光源側から順に、正屈折力を有する第１レンズ群、正屈折力を有する第２レンズ群、および正屈折力を有する第３レンズ群が配置された３群構成を有し、光情報記録媒体側の開口数ＮＡの値が次式を満たすことを特徴とする。
０．６０＜ＮＡ＜０．９９ （２）
【手続補正３】
【補正対象書類名】明細書
【補正対象項目名】００４６
【補正方法】変更
【補正の内容】
【００４６】
なお、第４の対物レンズにおいて、第１レンズ群は正屈折力を有し、第２レンズ群は負屈折力を有し、第３レンズ群は正屈折力を有する場合、第１レンズ群のｄ線のアッベ数νｄ１、および第２レンズ群のｄ線のアッベ数νｄ２の値が次式（２３）を満たすことを特徴とする。
νｄ１＞νｄ２ （２３）
【手続補正４】
【補正対象書類名】明細書
【補正対象項目名】００５０
【補正方法】変更
【補正の内容】
【００５０】
第４の対物レンズにおいて、第１レンズ群が負屈折力を有し、第２レンズ群が正屈折力を有し、第３レンズ群は正屈折力を有する場合でも同様に、第１レンズ群のｄ線のアッベ数νｄ１、および第２レンズ群のｄ線のアッベ数νｄ２の値が次式（２３'）を満たすことで軸上色収差を良好に補正できる。
νｄ１＜νｄ２ （２３'）
【手続補正５】
【補正対象書類名】明細書
【補正対象項目名】００５８
【補正方法】変更
【補正の内容】
【００５８】
そこで、第５の対物レンズは、光情報記録媒体の記録および／または再生用の対物レンズであって、光源側から順に、正の屈折力を有する第１レンズ、前記第１レンズに隣接して設けられ負の屈折力を有する第２レンズ、および正の屈折力を有する第３レンズが配置された３枚構成を有し、前記第１レンズの光源側の光学面、および前記第３レンズの光源側の光学面がともに非球面とされたことを特徴とする。